(57)【要約】【課題】高温水によってノズル胴体、及び、ノズル先端を高温殺菌することができる衛生洗浄装置の提供を目的とする。【解決手段】人体局部へ洗浄水を噴出するノズル２４と、洗浄水を加熱する第一の加熱手段２２と、ノズル２４へ洗浄水を供給するノズル給水手段２５と、ノズル洗浄を行なうノズル洗浄水を供給するノズル洗浄給水手段２６と、ノズル洗浄を行なうノズル洗浄水を加熱する第二の加熱手段２７と、第一、第二の加熱手段２２、２７を制御する制御手段３１を備え、人体への洗浄前後、非着座中に定期的に第二の加熱手段２７により、人体への洗浄水よりも高い温度でノズル２４の洗浄を行なうようにした。これにより、人体への洗浄水の温度とは異なった温度でノズル胴体、及びノズル先端を洗浄することができる。【選択図】  図１
2004308264.tif 000002
【特許請求の範囲】
【請求項１】
人体局部へ洗浄水を噴出するノズルと、この洗浄水を加熱する第一の加熱手段と、ノズルへ洗浄水を供給するノズル給水手段と、ノズルの胴体、及びノズル先端を外側から殺菌するノズル洗浄水を供給するノズル給水手段と、ノズルの洗浄を行なうノズル洗浄水を加熱する第二の加熱手段と、ノズル洗浄水を供給するノズル洗浄給水手段と、第一、第二の加熱手段を制御する制御手段を備えた衛生洗浄装置。
【請求項２】
第二の加熱手段によるノズルの洗浄時の温水温度は高温殺菌できる温度である請求項１に記載の衛生洗浄装置。
【請求項３】
ノズルの洗浄は、人体局部の洗浄終了後に行なう請求項１または２に記載の衛生洗浄装置。
【請求項４】
ノズルの洗浄は、人体局部の洗浄開始前に行なう請求項１〜３のいずれか１項に記載の衛生洗浄装置。
【請求項５】
ノズルの洗浄は、着座検出直後に行なう請求項１〜４のいずれか１項に記載の衛生洗浄装置。
【請求項６】
ノズルの洗浄は、非着座時に所定の時間間隔毎に行なう請求項１〜５のいずれか１項に記載の衛生洗浄装置。
【請求項７】
第二の加熱手段は第一の加熱手段より下流側に設置した請求項１〜６のいずれか１項に記載の衛生洗浄装置。
【請求項８】
ノズルの洗浄を開始する操作手段を有し、操作手段が一定時間以上連続して操作された場合にのみ、第二の加熱手段よるノズルの洗浄を行なう請求項１〜７のいずれか１項に記載の衛生洗浄装置。
【請求項９】
ノズルの洗浄を開始する操作手段は、複数の操作部を有し、複数の操作部が同時に操作された場合にのみ、第二の加熱手段よるノズルの洗浄を行なう請求項１〜８のいずれか１項に記載の衛生洗浄装置。
【請求項１０】
ノズルの洗浄を開始する操作手段の操作部は、操作手段の操作面より凹ませた位置に配置した請求項１〜９のいずれか１項に記載の衛生洗浄装置。
【発明の詳細な説明】
【０００１】
【発明の属する技術分野】
本発明は、人体の局部を洗浄する衛生洗浄装置に関するものである。
【０００２】
【従来の技術】
従来、この種の衛生洗浄装置として、人体の局部を洗浄するためのノズルを高温殺菌するものがある（例えば、特許文献１参照）。
【０００３】
これは、図８に示すように、給水管１より供給された水は、減圧手段２及び流路を開閉する開閉弁３を経てヒータ４を備えた加熱手段５に至る。加熱手段５から人体を洗浄するための温水を吐出するノズル６に至る温水経路７には、サーミスタ等にてなる温度検出器８及びモータ等にてなる電気的駆動手段で駆動される流量制御弁９が設けられている。
【０００４】
加熱手段５の内のヒータ４によって加熱されたときの湯の温度は温度検出器８によって検出される。加熱温度制御手段１０は、温度検出器８の出力信号をフィードバックして、予め設定された温度になるようにヒータ４を制御する。
【０００５】
この衛生洗浄装置の操作は、設定器１１によって行なわれる。設定器１１には、洗浄スイッチ１２、停止スイッチ１３、温度設定スイッチ１４、流量設定スイッチ１５、高温殺菌スイッチ１６が設けられている。通常、温度設定スイッチ１４によって、人体洗浄時の湯の温度は人間にとって快適な４０℃前後に設定されている。
【０００６】
設定器１１に設けられた洗浄スイッチ１２を押すと、制御器１７からの指令によって流量制御弁９及び開閉弁３の流路が開成される。この時、流量制御弁９の弁開度は流量設定スイッチ１５で設定された流量に比例しているため、流量設定スイッチ１５で設定された流量の水がノズル６から噴出し人体を洗浄する。
【０００７】
洗浄を終えるときには、停止スイッチ１３を押すと、制御器１１からの指令によって、開閉弁３が閉じられ洗浄を停止する。
【０００８】
高温殺菌スイッチ１６を押した場合、制御器１７内の高温殺菌制御手段１８が高温殺菌モード信号を受けて、流量制御弁９が少量の流量位置になるように、流量制御弁９の電気的駆動手段を駆動するとともに、湯の温度が６０℃前後になるように加熱温度制御手段１０に指令を出す。すると、ノズル６からは少量の６０℃前後の湯が垂れ落ちる程度になる。この状態において、温水経路７や流量制御弁９、及びノズル６の通水系内部などが所定の時間高温殺菌される。その後、高温殺菌制御手段１８は湯の温度が４０℃程度になるように加熱温度制御手段１０に指令を出した後、４０℃程度の湯がノズル６から吐出するまでの時間が経過するのを待って開閉弁３を閉止し、高温殺菌モードを終了させる。
【０００９】
【特許文献１】
特開平０９−８０３２５５号公報
【００１０】
【発明が解決しようとする課題】
しかしながら、前記従来の構成では、高温殺菌する箇所が通水系内部のみであり、人体局部の洗浄時に、ノズルに人体からの排泄物が付着し、その排泄物からの雑菌の繁殖などに対しては不充分であるという課題があった。
【００１１】
本発明は、上記従来の課題を解決するもので、ノズルの胴体、及びノズル先端を外側から殺菌する衛生洗浄装置を提供することを目的とする。
【００１２】
【課題を解決するための手段】
前記従来の課題を解決するために、本発明の衛生洗浄装置は、人体局部の洗浄水を加熱する第一の加熱手段とは別に、ノズルの胴体、及び先端を外側から殺菌するノズル洗浄水を加熱する第二の加熱手段を備えたものである。
【００１３】
これによって、ノズル洗浄水を第二の加熱手段により、人体への洗浄水の温度とは異なった温度でノズル胴体、及びノズル先端を殺菌することができる。
【００１４】
【発明の実施の形態】
請求項１に記載の発明は、人体局部へ洗浄水を噴出するノズルと、この洗浄水を加熱する第一の加熱手段と、ノズルへ洗浄水を供給するノズル給水手段と、ノズルの胴体、及びノズル先端を外側から殺菌するノズル洗浄水を供給するノズル給水手段と、ノズルの洗浄を行なうノズル洗浄水を加熱する第二の加熱手段と、ノズル洗浄水を供給するノズル洗浄給水手段と、第一、第二の加熱手段を制御する制御手段を備えた衛生洗浄装置とすることにより、ノズル洗浄水を第二の加熱手段により、人体への洗浄水の温度とは異なった温度でノズル胴体、及びノズル先端を殺菌することができる。
【００１５】
請求項２に記載の発明は、第二の加熱手段によるノズルの洗浄時の温水温度は高温殺菌できる温度である請求項１に記載の衛生洗浄装置とすることにより、ノズルを高温殺菌することができる。また、ノズル洗浄水のみを高温殺菌水としたことで、人体局部洗浄時に高温殺菌水が洗浄中にかかる恐れが無く、安全性を高めることができる。
【００１６】
請求項３に記載の発明は、ノズルの洗浄は、人体局部の洗浄終了後に行なうことにより、人体局部の洗浄中に付着したノズルの汚物は、定着前に洗い落とされ、殺菌されるため、より効果的にノズル洗浄を行なうことができる。
【００１７】
請求項４に記載の発明は、ノズルの洗浄は、人体局部の洗浄開始前に行なうことにより、人体局部の洗浄開始前に予めノズルは外側からの洗浄により暖められ、人体局部の洗浄を行なう際には、第一の加熱手段にて加熱された人体局部洗浄水がノズルを通過時に冷やされることがなく、使い勝手を向上することができる。
【００１８】
請求項５に記載の発明は、ノズルの洗浄は、着座検出直後に行なうことにより、着座検出直後にノズルは外側からの洗浄により暖められ、人体局部の洗浄開始時には、人体局部洗浄水がノズルで冷やされることがなく、使い勝手を向上することができる。
【００１９】
請求項６に記載の発明は、ノズルの洗浄は、非着座時に所定の時間間隔毎に行なうことにより、非着座中に定期的にノズルの高温殺菌を行ない、雑菌が繁殖することを抑制し、より衛生的な衛生洗浄装置となる。
【００２０】
請求項７に記載の発明は、第二の加熱手段は第一の加熱手段より下流側に設置したことにより、第一の加熱手段にて加熱された洗浄水に少しの熱量を加えるだけで高温殺菌ができるノズル洗浄水を得ることができるため、第二の加熱手段の加熱供給量を少なくし、第二の加熱手段をより小型にすることができ、より電力量を削減することができる。
【００２１】
請求項８に記載の発明は、ノズルの洗浄を開始する操作手段を有し、操作手段が一定時間以上連続して操作された場合にのみ、第二の加熱手段よるノズルの洗浄を行なうことにより、使用者が意図せず、誤って操作手段を操作してしまい、高温のノズル洗浄水が吐出されることが無い、安全性の高い衛生洗浄装置を提供することができる。
【００２２】
請求項９に記載の発明は、ノズルの洗浄を開始する操作手段は、複数の操作部を有し、複数の操作部が同時に操作された場合にのみ、第二の加熱手段よるノズルの洗浄を行なうことにより、使用者が意図せず、誤って操作手段を操作してしまい、高温のノズル洗浄水が吐出されることが無い、より安全性の高い衛生洗浄装置を提供することができる。
【００２３】
請求項１０に記載の発明は、ノズルの洗浄を開始する操作手段の操作部は、操作手段の操作面より凹ませた位置に配置したことにより、使用者が意図せず、誤って操作手段を操作してしまい、高温のノズル洗浄水が吐出されることが無い、安全性の高い衛生洗浄装置を提供することができる。
【００２４】
【実施例】
以下、本発明の実施例について、図面を参照しながら用いて説明する。
【００２５】
（実施例１）
図１は本発明の実施例１における衛生洗浄装置を示すものである。
【００２６】
図に示すように、トイレ室内へ配管された水は、樹脂等の連結管１９を用いて、衛生洗浄装置へ給水される。水道圧が著しく高いときに衛生洗浄装置への影響を緩和するために配置されている減圧弁２０を介して、止水電磁弁２１に接続されている。止水電磁弁２１を開成すると、第一の加熱手段２２へ給水され、第一の加熱手段２２に配設されている第一のヒータ２３にて加熱され温水となる。温水は、ノズル給水手段２５を介して人体の局部を洗浄するノズル２４へと接続され、ノズル２４の内、人体の肛門を洗浄するおしりノズル２４−１へ給水するか、もしくは、女性局部を洗浄するビデノズル２４−２へ給水するかを切り替えることができるようになっている。
【００２７】
また、第一の加熱手段２２とノズル給水手段２５との温水経路の間、すなわち、第一の加熱手段２２より下流側には、ノズル洗浄水を給水するノズル洗浄給水手段２６へ温水を給水する温水経路が設けられ、ノズル２４の洗浄を行なうことができるようになっている。ノズル洗浄給水手段２６からの温水経路には、第一の加熱手段２２によって加熱された温水を更に高温のノズル洗浄水とする、第二のヒータ２８を有した第二の加熱手段２７と、この高温のノズル洗浄水をノズル２４の胴体、及びノズル先端へ供給するノズル洗浄口２９が設けられ、ノズル２４を高温殺菌して洗浄を行なうことができる。
【００２８】
図２に示すように、操作手段３０は、人体の肛門を洗浄すべく動作するおしり操作部３０−１、女性の局部を洗浄すべく動作するビデ操作部３０−２、おしり及びビデ洗浄時の温水温度を切り替える洗浄温度切り替え操作部３０−３、使用者へ温水温度を報知する温水温度表示部３０−４、おしり及びビデ洗浄の洗浄流量を切り替える洗浄流量切り替え操作部３０−５、使用者へ洗浄流量を報知する洗浄流量表示部３０−６、おしり及びビデへの洗浄動作を停止する停止操作部３０−７を有している。使用者によって、おしり操作部３０−１が操作されると、制御手段３１より止水電磁弁２１が開成され、第一の加熱手段２２へ給水される。第一の加熱手段２２へ供給された水は、制御手段３１にて洗浄温度切り替え操作部３０−３に設定された設定温度となるべく、第一の温度検出手段３２にて温水温度をフィードバックしながら第一のヒータ２３への通電を制御され、使用者所望の温水となる。使用者所望の温度となると、おしりノズル２４−１側へ給水するようにノズル給水手段２５が切替り、人体の肛門へと洗浄水が噴出される。
【００２９】
洗浄流量は制御手段３１にて、洗浄流量切り替え操作部３０−５にて設定された洗浄流量となるべくノズル給水手段２５のおしりノズル２４−１、ビデノズル２４−２の各給水口への弁開度が比例的に制御される。
【００３０】
衛生洗浄装置を使用する際には使用者の体調によって軟便であった場合など、洗浄後のノズル２４には汚物が付着することがあり、ノズル２４の洗浄水噴出口に付着して正しく人体の肛門やビデへ洗浄水を噴出できないことがある。また、排便する前に便意促進の意味合いで、まず人体の肛門を洗浄し、肛門付近を刺激する使用者にとっては、付着した汚物により雑菌が繁殖して、次に洗浄した際に雑菌が人体肛門やビデ部分の粘膜から侵入することを懸念するなど、特にノズル２４自体の衛生については使用者の意識が高くなってきている。トイレで繁殖する雑菌として大腸菌やブドウ球菌が良く知られており、これらの雑菌は３５℃前後で繁殖し易い反面、５５〜７０℃などの比較的高温環境下では死滅する。これらの雑菌を死滅させるため、ノズル洗浄の際には、第二の加熱手段２７における第２のヒータ２８にてノズル洗浄水を加熱しながら第二の温度検出手段３３にてフィードバックし、雑菌が死滅する温度の７０℃まで昇温する。７０℃になった時点でノズル洗浄給水手段２６を開成し、水道元圧にてノズル洗浄口２９からノズル洗浄水をノズル２４の胴体、及びノズル先端に供給し、殺菌洗浄する。
【００３１】
第二の加熱手段２７へ給水される温度、即ち、第一の加熱手段２２での人体の洗浄温度は約４０℃であり、第二の加熱手段２７からノズル洗浄水として吐出する温水温度は約７０℃としており、第二の加熱手段２７での昇温幅は約３０℃である。ノズル洗浄の流量を２００ｃｃ／ｍｉｎとした場合、第二の加熱手段２７における第二のヒータ２８の容量は４００Ｗ程度ならばジュールの法則からも、約１秒間で昇温することができるため、ヒータ容積としても比較的小さくでき、製品の小型化も図ることができる。
【００３２】
また、ノズル２４に付着した汚物などは冷水よりも比較的高温水の方が剥がれ落ち易く、このことからもノズル洗浄については高温水で行なうことがより効果的である。
【００３３】
更に、図３に示すタイムチャートにて、ノズル洗浄動作について説明する。便座（図示せず）に使用者が着座したことを検出する着座スイッチ（図示せず）により着座を検出する。着座スイッチが一定時間（例えば０．５秒）連続していた場合、着座確定とする。着座が確定すると、第一の加熱手段２２が瞬間熱交換器の場合、使用者が衛生洗浄装置を使用しないときには、第一の加熱手段２２は通電していないため、第一の加熱手段２２内の残水は冷えているため、第一の温度検出手段３２にて所定の温度になるまで予め温める。この初期通電動作をプリヒート動作と呼ぶ。このプリヒート動作中には、ノズル給水手段２５はノズル２４のおしりノズル２４−１、ビデノズル２４−２の胴体部分を洗浄する位置をセンター位置とすることで、プリヒート動作中の第一の加熱手段２２からの排水によって、ノズル２４の胴体部分の洗浄を行なう。一定時間（例えば１５秒間）、プリヒート動作を行ない、使用者の洗浄開始操作（例えば、おしり操作部３０−１または、ビデ操作部３０−２の操作）を待機する。ここで、第一の加熱手段２２内の温度が一定温度以下に低下しないように第一のヒータ２３に通電を行ない、保温動作を行なうこともできる。
【００３４】
次に、使用者の洗浄開始操作（ここでは、おしり操作部３０−１が操作された場合について説明する）が行なわれると、止水電磁弁２１を開成し、第一の加熱手段２２を使用者が設定した温度になるように通電し、第一の温度検出手段３２にて設定温度に到達するまでは、ノズル給水手段２５をセンター位置としてノズル２４の胴体部分を洗浄しながら一定時間、待機する。この動作を前洗浄と呼ぶ。前洗浄中に第一の温度検出手段３２にて設定温度に到達した時点で、ノズル給水手段２５をおしりノズル２４−１側に給水されるべく駆動する。本実施例における衛生洗浄装置のノズル２４の駆動を水道水の元圧を利用した水圧突出方式にて説明すると、ノズル給水手段２５をおしりノズル２４−１側に給水されるべく駆動すると、おしりノズル２４−１からの洗浄水が使用者の肛門に噴出する位置（おしり洗浄ポイント）になるまでは、おしりノズル２４−１の胴体周辺部分から洗浄水が排出され、使用者の肛門に噴出する位置までおしりノズル２４−１が突出すると、おしりノズル２４−１先端の洗浄水噴出口から洗浄水が排出されて、おしり洗浄が行なわれる。
【００３５】
使用者の停止操作部３０−７操作によって、おしり洗浄動作が終了すると、ノズル給水手段２５がおしりノズル２４−１側からセンター位置へと駆動され、また、おしりノズル２４−１を収納するために止水電磁弁２１が閉じられて水道元圧がノズル２４にかからなくなるため、ノズル２４が収納される。この時、前述の前洗浄と同じように、おしり洗浄ポイントからおしりノズル２４−１が収納されるまでは、おしりノズル２４−１の胴体周辺部分から洗浄水が排出される。このおしりノズル２４−１収納時のノズル胴体部分の洗浄を後洗浄と呼ぶ。
【００３６】
ノズル２４収納の後、ノズル洗浄を行なう。ノズル洗浄時は止水電磁弁２１を開成し、第一の加熱手段２２にて水を加熱する。ノズル給水手段２５はセンター位置のままとして、ノズル洗浄給水手段２６を開成する。ノズル洗浄給水手段２６を介して第二の加熱手段２７へ第一の加熱手段２２にて予め加熱された温水が供給され、また、第二の加熱手段２７における第２のヒータ２８にて更に加熱され、人体への洗浄水よりも高温の水がノズル洗浄口２９より噴出され、ノズル２４の胴体、及びノズル先端部分を洗浄する。一定時間、ノズル洗浄動作が終了すると、使用者が便座から離れる脱座を検出するまで待機する。この間、再度洗浄開始される場合を想定し、第一の加熱手段２２内の温度が一定温度以下に低下しないように第一のヒータ２３に通電を行ない、保温動作を行なうこともできる。
【００３７】
上記説明では、第一の加熱手段２２による人体洗浄水への加熱をいわゆる瞬間熱交換器にて説明を行なったが、ノズル洗浄動作については、貯湯式熱交換器でも同一の効果を有することは言うまでもない。上記説明では、おしり洗浄について説明を行なったが、ビデ洗浄についても同様であり、また、ノズル２４の駆動方法を水圧突出方式ではなく、モータで行なった際でも同一の効果を有することは言うまでもない。
【００３８】
人体への洗浄動作終了後に、ノズル洗浄給水手段２６、第二の加熱手段２７を駆動することで、洗浄動作によって人体からの汚物がノズル２４に付着した際にも、付着した汚物がノズル２４にて固まり剥がれ落ちづらくなる前に、ノズル胴体、及びノズル先端を洗浄することができるため、より衛生的である。
【００３９】
更に、ノズル洗浄給水手段２６にて、人体への洗浄水経路とノズル洗浄水の経路を分離することで、人体の洗浄水が使用者の所望する温度以上に上がらないようにしている。
【００４０】
（実施例２）
図４は本発明の実施例２における衛生洗浄装置を示すものである。
【００４１】
実施例１ではノズル洗浄動作を人体への洗浄が完了した後に行なっていたが、本実施例では人体への洗浄前にノズル洗浄動作を行なっているものである。なお、実施例１にて説明した動作と同様の動作をするものについては、説明を省略する。
【００４２】
衛生洗浄装置での使い勝手の指標の一つとして、人体洗浄水の冷水吐出がないことが挙げられる。人体洗浄水の冷水は、温水経路、及びノズル２４の先端内部の残水が、人体への洗浄開始時に噴出されてしまうのであるが、プリヒート動作でノズル２４を含めた衛生洗浄装置の温水経路内の残水を第一の加熱手段２２にて加熱された温水にて流し出し、温水経路を温めることによって行なうことで、人体への冷水吐出を防止している。プリヒート動作後では、ノズル２４の胴体部分に第一の加熱手段２２での４０℃程度の温水にてノズル２４を外側から温めており、更に人体洗浄前に第二の加熱手段２７にて高温のノズル洗浄水をノズル２４の胴体、及びノズル先端を外側から供給することで、更にノズル２４を温め、冷水吐出を防止している。また、ノズル洗浄動作が完了するまでは冷水吐出の可能性があるため、人体の洗浄開始操作が行なわれた後も、ノズル洗浄動作を継続し、冷水吐出を防止する。
【００４３】
着座を検出すると、プリヒート動作を行ない、その後にノズル洗浄動作へと移行する。ノズル洗浄動作時は、ノズル洗浄給水手段２６を開成し、かつ、ノズル給水手段２５の位置を、センター位置からおしりノズル２４−１側に幾分開度をずらした位置（ノズル洗浄おしり側）に駆動される。水道水の元圧からノズル２４にかかる圧力は、ノズル洗浄給水手段２６を開成しているため、おしりノズル２４−１がおしり洗浄位置へと移動することはなく、ノズル洗浄動作にてノズル２４が突出することはない。このときに、第一の加熱手段２２で加熱された温水は、おしりノズル２４−１側に開度をずらしているため、おしりノズル２４−１先端の洗浄水噴出口から漏れ出す。更に、ノズル洗浄給水手段２６が開成され、第二の加熱手段２７にて高温のノズル洗浄水へと加熱される。ノズル洗浄水はノズル２４の胴体、及びノズル先端を高温殺菌洗浄し、一定時間おしりノズル２４−１を温める。一定時間経過後は、使用者の洗浄開始操作を待機する状態へと移行する。
【００４４】
ノズル洗浄動作の洗浄開始操作が行なわれた際に、ノズル洗浄動作を行なうことで、プリヒート動作から洗浄開始操作までの待機期間中に冷えてしまった温水経路、及びノズル２４を温めることができる。
【００４５】
更に、着座検出直後と洗浄開始操作直後にノズル洗浄動作を行なうようにすることで、洗浄開始操作後のノズル洗浄による温水経路、ノズル２４の温め時間が短縮でき、人体への洗浄水の噴出までの時間を早くしてより使い勝手を向上することができる。
【００４６】
（実施例３）
次に、本発明の実施例３における衛生洗浄装置では、使用者が着座していない状態（非着座）の間に一定時間の間隔でノズル洗浄動作を行なうようにしたものである。すなわち、実施例１ではノズル洗浄動作を人体への洗浄が完了した後に行なっており、また、実施例２では人体への洗浄前にノズル洗浄動作を行なったが、使用者の非着座の間に一定時間の間隔でノズル洗浄動作を行なうようにした。
【００４７】
ノズル２４に発生した細菌は、分裂を行ない増殖する。多くの細菌は分裂を行なうために酸素を必要とし、２０〜３０分の間に２つに分裂を行なう。よって、最初の１つの細菌が２０分ごとに２つに分裂するとすると、１時間後には６０分÷２０分＝３で、３回の分裂により２３＝８個になる。１０時間では１０時間×６０分÷２０分＝３０回で３０回の分裂により２３０＝約１０億個にまで増殖することになる。そこで、非着座中に定期的にノズル洗浄動作を行ない、高温のノズル洗浄水にて殺菌を行なうものである。ノズル洗浄動作としては実施例１、２と同様の動作を行なうため、詳細の説明は省略する。
【００４８】
また、使用者が所望のタイミングでノズル洗浄動作を行なうことができるように、図５に示すノズル洗浄操作部３０−８を設けている。この際、使用者が衛生洗浄装置の清掃中に、不用意に操作手段ノズル洗浄操作部３０−８を有している操作手段３０に触れてしまい、高温のノズル洗浄水が噴出しないように、ノズル洗浄動作はノズル洗浄操作部３０−８が一定時間以上連続して操作された場合のみ行なうことで、火傷等の災害発生を防止している。
【００４９】
また、図６に示すようにノズル洗浄副操作部３０−９を設け、使用者が衛生洗浄装置の清掃中に、不用意に操作手段ノズル洗浄操作部３０−８を有している操作手段３０に触れてしまい、高温のノズル洗浄水が噴出しないように、ノズル洗浄動作はノズル洗浄操作部３０−８とノズル洗浄副操作部３０−９が同時に操作された場合のみ行なうことで、火傷等の災害発生を防止することもできる。
【００５０】
また、図７に示すように、ノズル洗浄操作部３０−８はノズル洗浄操作部３０−８を保持する操作手段３０の操作面から一定距離ｈだけ凹ませた位置に配置したことによって、使用者がノズル洗浄動作を行なう意志をもってノズル洗浄操作手段３０−８を操作したときのみノズル洗浄動作を行なうようにし、不用意に高温のノズル洗浄水が噴出して火傷等の災害を防止している。
【００５１】
以上のように、本実施例においては、ノズルを洗浄するノズル洗浄水の経路に第二の加熱手段を設けたので、ノズル洗浄の際にはノズルを高温で洗浄することができるとともに、人体への洗浄水経路とは異なる経路でのみ高温洗浄水を生成するため、人体に高温水が噴出することがなく、安全な衛生洗浄装置を供給することができる。更に、人体洗浄の前後にノズル洗浄を行なうことで、ノズルやノズル内部の温水経路が温められ冷水吐出することがない、使い勝手の良い衛生洗浄装置を提供することができる。また、定期的に高温水でノズル洗浄を行なうため、ノズルに雑菌が繁殖することが無い。また、不用意にノズル洗浄動作へと移行しないため、高温のノズル洗浄水によって使用者が火傷することがなく安全性の高い衛生洗浄装置を供給することができる。なお、各実施例において、ノズル洗浄のタイミングを説明したが、これらのタイミングは適宜組み合わせてノズル洗浄を行なうことができるものであり、実施例に限定されるものではない。
【００５２】
【発明の効果】
以上のように、本発明の衛生洗浄装置によれば、人体局部の洗浄水を加熱する第一の加熱手段とは別に、ノズルの胴体、及び先端を外側から殺菌するノズル洗浄水を加熱する第二の加熱手段を備えたことによって、ノズル洗浄水を第二の加熱手段により、人体への洗浄水の温度とは異なった温度でノズル胴体、及びノズル先端を殺菌することができる。
【図面の簡単な説明】
【図１】本発明の実施例１における衛生洗浄装置のブロック図
【図２】同衛生洗浄装置の操作手段を示す外観図
【図３】同衛生洗浄装置のノズル洗浄のタイムチャート
【図４】本発明の実施例２における衛生洗浄装置のノズル洗浄のタイムチャート
【図５】本発明の実施例３における衛生洗浄装置の操作手段を示す外観図
【図６】同他の操作手段を示す外観図
【図７】同操作手段の断面図
【図８】従来の衛生洗浄装置のブロック図
【符号の説明】
２１  第一の加熱手段
２４  ノズル
２５  ノズル給水手段
２６  ノズル洗浄給水手段
２７  第二の加熱手段
３０  操作手段
３１  制御手段
【図１】
2004308264.tif 000003
【図２】
2004308264.tif 000004
【図３】
2004308264.tif 000005
【図４】
2004308264.tif 000006
【図５】
2004308264.tif 000007
【図６】
2004308264.tif 000008
【図７】
2004308264.tif 000009
【図８】
2004308264.tif 000010